(57)【要約】  【課題】  コネクタ上方にスペースを取らず、狭いスペースへの設置が可能であり、コネクタのコンタクト部が接続される基板上の接点の並び方向に接続ケーブルを配設できて配線取り回し及び基板設計の自由度を増すコンタクトの構造の提供。  【解決手段】  ハウジング２は、下面２６が基板上に実装される実装面を形成し、上面２５が基板面方向に接続ケーブルを載置されるケーブル載置面を形成する。ハウジング２内に設けられるターミナル３は、下端が基板側に突出して接続するコンタクト部３２を形成し、上端が接続ケーブルと接続される接続部３１を形成する。ターミナル３はハウジング２内で複数並設され、ケーブル載置面２５上には複数の接続ケーブルが基板面方向に並べられて配設され、各接続ケーブルが所望のターミナル３に電気的に接続される。【選択図】  図１
2005353283.tif 000002
【特許請求の範囲】
【請求項１】
一端が接続ケーブルと電気的に接続される接続部を形成し、少なくとも他の一部が他の部材と電気的に導通させる導通部を形成するターミナルと、
一方面にはターミナルの接続部が位置し他面にはターミナルの導通部が位置するよう複数のターミナルを内設し、ターミナルの接続部が位置する面がケーブル載置面を形成するハウジングと、からなり、
複数の接続ケーブルが、複数並設されたターミナルの接続部と交差するように配設され、各接続ケーブルが所望のターミナルに圧着若しくは圧接されて電気的に接続されることを特徴とするコネクタ。
【請求項２】
一端が接続ケーブルと電気的に接続される接続部を形成し、少なくとも他の一部が基板と接続するコンタクト部を形成するターミナルと、
一方面にはターミナルの接続部が位置し他面にはターミナルのコンタクト部が位置するよう複数のターミナルを内設し、コンタクト部が位置する面が基板実装面を形成し、ターミナルの接続部が位置する面がケーブル載置面を形成するハウジングと、からなり、
複数の接続ケーブルが、複数並設されたターミナルの接続部と交差するように配設され、各接続ケーブルが所望のターミナルに圧着若しくは圧接されて電気的に接続されることを特徴とするコネクタ。
【請求項３】
ターミナルは、ハウジング内に複数並設された各ターミナルの接続部が、並設方向と交差方向に延設されて複数の接続箇所を形成する請求項１又は請求項２記載のコネクタ。
【請求項４】
ハウジングは、接続部の位置する面がケーブル載置面を形成し、ケーブル載置面にはケーブル載置方向にケーブル載置溝を複数並設すると共に、ケーブル載置溝には載置された接続ケーブルを接続部と接続させる接続凹部を凹状に穿設し、接続凹部がターミナルの接続部を露出させて接続部と接続ケーブルとの接続を可能とさせる請求項１乃至請求項３の何れかに記載のコネクタ。
【請求項５】
前記ハウジングのケーブル載置面を被覆するようハウジングと係止可能であり、ケーブル載置面と対向する面側には、所望のケーブル及び所望接続部を接続させる位置に圧接突部を形成し、ハウジングと係止時には所望のケーブルを押圧して所望の接続部と電気的に接続させるハウジングカバーを備える請求項１乃至請求項４の何れかに記載のコネクタ。
【請求項６】
前記ハウジングのケーブル載置面を被覆するようハウジングと係止可能なカバー本体と、所望のケーブル及び所望接続部を接続させる位置のケーブル上になるよう載置するスペーサとからなるハウジングカバーを設け、ハウジングと係止時にはスペーサによって所望のケーブルのみを押圧して所望の接続部と電気的に接続させるハウジングカバーを備える請求項１乃至請求項４の何れかに記載のコネクタ。
【発明の詳細な説明】
【技術分野】
【０００１】
この発明は、基板に電気的に接続されるコネクタに係り、詳細には複数本からなるケーブル群若しくはフラットケーブルを他の部材と電気的に接続するコネクタに関する。
【背景技術】
【０００２】
従来、一般に用いられているコネクタは、圧着コネクタや圧接コネクタが知られている。例えば圧接コネクタでは、図６に表すような電子機器内部に用いる圧接コネクタが知られている。
この圧接コネクタ１００は、図６に表すように、コネクタプラグであり、基板表面１１０に設けるコネクタソケット１１１から複数突設させた接続ピン１１２と嵌合することで、圧接コネクタ１００に設ける接続端子１０１が接続ピン１１２と嵌合し、圧接コネクタ１００がコネクタソケット１１１に差込まれ接続ケーブル１２０が対応した各接続ピン１１２と電気的に接続する。各接続ピン１１２は、所定の基板パターンと電気的に接続されているため、接続ケーブル１２０は基板の所定位置と電気的に接続されることとなる。
【発明の開示】
【発明が解決しようとする課題】
【０００３】
しかしながら、基板面に設けるパターンとケーブルとを電気的に接続する従来のコネクタでは、コネクタソケットに差込む各接続ケーブルの差込み方向が基板面に対して垂直であった。即ち、基板へコネクタを取付けるための差込み方向と、コネクタから接続ケーブルを引出す方向とが同一方向であった。このため接続ケーブルは、装置内に配線されて基板と接続される際には、湾曲或は折曲されて配置されることとなり、コネクタを接続する基板の上方にスペースがあまり無い場合などには、接続ケーブルの取り回しが困難であるという問題点を有した。又、接続ケーブルを急激に折曲して使用し続けた場合には接続ケーブルの外皮を損傷したり芯線そのものが切断する等の不具合が生じるという問題点を有した。
【０００４】
又、上記のような接続ケーブルの取り回しでは、例えば、図７に表すように、接続ケーブルを接続するための基板パターンに対し、その基板パターンの配列方向と同一方向に接続ケーブルを配置しなければならない場合（即ち、各接続ケーブルの整列方向が基板パターンと直交している場合）には、接続ケーブルを基板面と平行に略直角に折曲させなければならず、接続ケーブルに折曲による負担がかかるばかりか、各接続ケーブルが同一長であるにも拘らず実際に配置される際には両端の接続ケーブルを配置する配設ルート長が異なるため、接続ケーブルがスマートに配置できないという問題点を有した。
【課題を解決するための手段】
【０００５】
そこでこの発明では、上記問題点を解決するために、他の基板或は装置等の他の部材と接続ケーブルとを電気的に接続させる以下のようなコネクタを提供する。
即ち、この発明は、
【０００６】
一端が接続ケーブルと電気的に接続される接続部を形成し、少なくとも他の一部が他の部材と電気的に導通させる導通部を形成するターミナルと、
一方面にはターミナルの接続部が位置し他面にはターミナルの導通部が位置するよう複数のターミナルを内設し、ターミナルの接続部が位置する面がケーブル載置面を形成するハウジングと、からなり、
複数の接続ケーブルが、複数並設されたターミナルの接続部と交差するように配設され、各接続ケーブルが所望のターミナルに圧着若しくは圧接されて電気的に接続されることを特徴とするコネクタ、
【０００７】
を提供する。従って、該コネクタでは、コネクタと接続される接続ケーブルが基板面と平行に引出されることとなる。更に該コネクタでは、フラットケーブル等の複数ケーブルが複数の接続部位置に横架され、複数横架されたケーブルのうち所望のケーブルと所望の接続部とを電気的に接続させることで、所望ケーブルからの電気信号を所望ターミナルのコンタクト部へ導通できるので、複数のケーブルの位置を入替えることなくコンタクト部から得る各ケーブルからの信号のパターンを自由に配列できる。
又、長く配線されるフラットケーブルから同一の信号を、同一のパターンあるいは異なるパターンで複数箇所に得たい場合や、複数箇所で所望のケーブルからの信号のみを得たい場合等には、ケーブルと接続させるターミナルの接続部を適宜選択することで、フラットケーブルを折曲げることなく、所望信号を所望箇所に複数得ることが可能となる。
そして更にこの発明では、
【０００８】
一端が接続ケーブルと電気的に接続される接続部を形成し、少なくとも他の一部が基板と接続するコンタクト部を形成するターミナルと、
一方面にはターミナルの接続部が位置し他面にはターミナルのコンタクト部が位置するよう複数のターミナルを内設し、コンタクト部が位置する面が基板実装面を形成し、ターミナルの接続部が位置する面がケーブル載置面を形成するハウジングと、からなり、
複数の接続ケーブルが、複数並設されたターミナルの接続部と交差するように配設され、各接続ケーブルが所望のターミナルに圧着若しくは圧接されて電気的に接続されることを特徴とするコネクタ、
【０００９】
を提供する。該コネクタによれば、ターミナルの一部がコンタクト部を形成するので、基板との接続には接続パターンに合わせ、基板パターンの所望箇所に所望のケーブルからの信号を得ることができる。
そして、上記各コネクタにおいて
【００１０】
ターミナルは、ハウジング内に複数並設された各ターミナルの接続部が、並設方向と交差方向に延設されて複数の接続箇所を形成する、
【００１１】
ので、複数のターミナルはケーブル載置面に載置される接続ケーブルの長手方向に並設されており、各ターミナルの接続箇所がケーブル載置面に載置される接続ケーブルの長手方向と交差する方向に延設されている。従って、載置された接続ケーブルは複数のターミナル上に横架されて配設された状態となるので、夫々所望ターミナルの接続箇所で圧着若しくは圧接によって電気的に接続する。
又更にコネクタを、
【００１２】
ハウジングは、接続部の位置する面がケーブル載置面を形成し、ケーブル載置面にはケーブル載置方向にケーブル載置溝を複数並設すると共に、ケーブル載置溝には載置された接続ケーブルを接続部と接続させる接続凹部を凹状に穿設し、接続凹部がターミナルの接続部を露出させて接続部と接続ケーブルとの接続を可能とさせる、
【００１３】
ことで、ハウジングにはケーブル載置面にケーブル載置溝より深く穿設した接続凹部を設けるので、接続凹部に位置するターミナルの接続箇所を露出させる。そして、ケーブル載置溝に沿って載置された接続ケーブルは、接続凹部に露出させたターミナルの接続箇所と接続させるので、他のターミナルの接続箇所が該接続ケーブルに干渉しない。又、前記ターミナルの接続箇所を、ケーブル載置面に載置される接続ケーブルの長手方向と交差する方向に延設することで、前記干渉を無くすることを更に確実なものとする。
そして更に、コネクタのハウジングにハウジングカバーを設けるものとして、
【００１４】
前記ハウジングのケーブル載置面を被覆するようハウジングと係止可能であり、ケーブル載置面と対向する面には、所望のケーブル及び所望の接続部を接続させる位置に圧接突部を形成し、ハウジングと係止時には所望のケーブルを押圧して所望の接続部と電気的に接続させるハウジングカバーを備える、
【００１５】
ようにする構成、及び、
前記ハウジングのケーブル載置面を被覆するようハウジングと係止可能なカバー本体と、所望のケーブル及び所望接続部を接続させる位置のケーブル上になるよう載置するスペーサとからなるハウジングカバーを設け、ハウジングと係止時にはスペーサによって所望のケーブルのみを押圧して所望の接続部と電気的に接続させるハウジングカバーを備える、
【００１６】
構成とする。ハウジングカバーは、ハウジングのケーブル載置面において接続させたいケーブルと接続部とが交差する位置に予め凸状の圧接突部を形成しておくか、あるいは、該交差位置に別体からなるスペーサを載置してハウジングカバーとケーブル載置面との間に実質的に圧接突部を形成する。この状態でハウジングカバーをハウジングと係止させることで、各接続ケーブルが所望のターミナルに圧着若しくは圧接されて電気的に接続される。
【発明の効果】
【００１７】
従ってこの発明によれば、フラットケーブル等の複数ケーブルが複数の接続部位置に横架され、複数横架されたケーブルのうち所望のケーブルと所望の接続部とを電気的に接続させるので、所望ケーブルからの電気信号を所望ターミナルのコンタクト部へ導通し、複数ケーブルの位置を入替えることなくコンタクト部から得る各ケーブルからの信号のパターンを自由に配列できる。
更に、ケーブルと接続させるターミナルの接続部を適宜選択することで、フラットケーブルを折曲げることなく、所望信号を所望箇所に複数得ることが可能となり、長く配線されるフラットケーブルから同一の信号を、同一のパターンあるいは異なるパターンで複数箇所に得ることができる。同様に、ケーブルと接続させるターミナルの接続部を適宜選択することで、フラットケーブルを折曲げることなく、所望信号を所望箇所に複数得ることが可能となり、複数箇所で所望のケーブルからの信号のみを得ることができる。更に、例えば長い配設が要求される接続ケーブルの中間位置に、接続ケーブルを切断することなく取付けることができ、しかも複数箇所に所望の各ケーブルの信号取出し位置を自由に設定できるので、基板等の他の部材における接点部のレイアウトの自由度が高くなる。
【００１８】
又、コネクタのケーブル載置溝に配設される接続ケーブルが基板面と平行になるので、コネクタ上方にスペースを取らず、狭いスペースへの設置が可能となる効果を有する。又、接続ケーブルがコネクタから基板面鉛直方向に引出されていないので、折曲或は湾曲等しなくてもすみ、フラットケーブル等の接続ケーブルを基板上に配置させる際に、基板上での収まりを良くできるという効果を有する。
又、ターミナルの接続部がターミナル並設方向と交差方向に延設されているので、並設した各ターミナルのコンタクト部が接続される基板上の接点の並び方向に接続ケーブルを配設できるので、接続ケーブルの配線取り回し及び基板設計の自由度を増すことが可能である。
更に、コンタクト部が折曲あるいは湾曲したばね状に形成されて基板に押圧され、ばね力によって接触圧を維持する場合には、コンタクト部のばねスパンを接続箇所の長さ分は取ることができ、充分なばね力を得ることができる。
【００１９】
更に又、ハウジングのケーブル載置面に接続凹部を穿設することで、接続凹部が穿設された位置のターミナルのみが露出することとなり、ケーブル載置面のケーブル載置溝に載置させた接続ケーブルを接続凹部に位置するターミナルの接続部とのみ接続可能にできるので、接続ケーブルを接続時において、誤接続や接続位置の確認を要せずコネクタへの接続ケーブルの接続工程を容易にすることが可能となる。
【００２０】
更に又、ハウジングのケーブル載置面側の所望位置に圧接突部を形成するハウジングカバーを設け、ハウジングと係止させることで、所望ケーブルと所望ターミナルとが圧着若しくは圧接されて電気的に接続されるので、ケーブルとターミナルとの接続作業を容易にすることが可能となる。同様に、ハウジングカバーをカバー本体とスペーサとから構成し、スペーサを接続させたい接続部とケーブル上に載置してからカバー本体をハウジングと係止させることで、所望のケーブルと所望の接続部とを容易に接続可能とするばかりでなく、カバー本体及びスペーサは、スペーサを所望の位置に載置する作業を自動機に行わせる等することで、更に作業を容易とするばかりでなく、ケーブルの接続パターンによらずに使用できるの汎用性が有り個品の使い回しが良くなる。
【発明を実施するための最良の形態】
【００２１】
ターミナルは所望通りに並設して設ける。そして、並設された各ターミナルの上端は接続箇所を複数設けた接続部を形成する。従って、各ターミナルの接続部も並設された状態となる。この一方、各ターミナルの下端には、基板上に設けた接点と接触してターミナルと基板のパターンとを電気的に接続するコンタクト部を形成する。コンタクト部も又複数並設される。
【００２２】
このように形成したターミナルは、コネクタハウジング内に設置固定される。そして、各ターミナルがハウジング内に固定された状態では、コネクタの下面であるハウジングの実装面には各ターミナルのコンタクト部が下方へ突設され、ハウジングの上面であるケーブル載置面側にターミナルの接続部が位置される。
ハウジング上面であるケーブル載置面には各ターミナルの接続部上部を通して穿たれるケーブル載置溝を設ける。該ケーブル載置溝は、各ターミナル接続部が並設される方向にケーブル載置面両端に亙って設けられる。従って、該ケーブル載置溝は、全てのターミナルの接続箇所上部を通ってケーブル載置面の両端間に設けられる。このように設けるケーブル載置溝は、複数並設されるので、複数のケーブル載置溝が全てのターミナルの接続箇所上部を通って設けられることとなる。
【００２３】
又、ハウジングに設けたケーブル載置溝の所定箇所には接続凹部を穿設する。該接続凹部は、ケーブル載置溝に設置された接続ケーブルと接続所望のターミナル位置、即ち接続箇所位置に穿設して所望の接続箇所をケーブル載置面に露出させる。この接続凹部は、各ケーブル載置溝毎に所望ターミナルを異ならせて穿設することで、夫々の接続ケーブルを所望のターミナルと接続させることができる。
【実施例１】
【００２４】
以下にこの発明の実施例を図面に基づいて説明する。図１はこの発明におけるコネクタを表し、（ａ）はこの発明におけるコネクタの正面説明図、（ｂ）は同底面説明図、（ｃ）は同左側面説明図、（ｄ）は同平面説明図、（ｅ）はＡ−Ａ線断面説明図、（ｆ）はＢ−Ｂ線断面説明図、（ｇ）はＣ−Ｃ線断面説明図、（ｈ）はＤ−Ｄ線断面説明図であり、図２はこの発明におけるコネクタのターミナルを表し、（ａ）はこの発明におけるターミナルの正面説明図、（ｂ）は同右側面説明図、（ｃ）は同平面説明図、（ｄ）は同底面説明図、（ｅ）はＥ−Ｅ線断面説明図であり、図３は同カバーを表し、（ａ）はこの発明におけるハウジングカバーの正面説明図、（ｂ）は同底面説明図、（ｃ）は同左側面説明図、（ｄ）は同平面説明図、（ｅ）はＦ−Ｆ線断面説明図であり、図４はハウジングカバーの他の例を表す断面説明図であり、図５はケーブルとの接続例を表す説明図である。
【００２５】
１は、この発明に係るコネクタである。コネクタ１は、コネクタ上面に配置されて接続される接続ケーブルＦＣと基板表面に露出して設けたコンタクト部（図示せず）とを電気的に接続するものであり、図１に表すように、コンタクト１の全体を形作るハウジング２と、ハウジング２内に設け一端が接続ケーブルＦＣが接続され他端が基板のコンタクト部と接触され接続ケーブルＦＣと基板に設けた回路とを電気的に接続させるターミナル３と、ハウジング２の上面２５を覆うハウジングカバー４とからなる。
【００２６】
コネクタ１のハウジング２は、図１各図に表すように、複数のターミナル３を一方向に並設して内包可能であり、正面２１側及び背面２２側の中央に、先端部が自由端であり基端部が正面２１或は背面２２に固定され、中央に設ける係止突部２４が係止することでハウジング２を固定可能な係止片２３を設けてなる。更にハウジング２のケーブル載置面である上面２５には、両側面２７、２７間に亙って接続ケーブルＦＣを配置可能なケーブル載置溝２８を設ける。又、側面２７には、上面２５から下面２６側にかけてカバー係止溝２７ａを穿設する。又、カバー係止溝２７ａの下面２６側には、係止突起２７ｂを突設する。カバー係止溝２７ａは、図１（ｃ）に表すように、側面視左右に設け、上面２５からハウジングカバー４の脚部４４を挿入可能であり、挿入された脚部４４は係止突起２７ｂと係止することで、ハウジング２と固定される。
【００２７】
ハウジング２が内包するターミナル３は正面図中左から第１ターミナル３ａ、第２ターミナル３ｂ、第３ターミナル３ｃ、第４ターミナル３ｄである。ハウジング２に内包された各ターミナルは、図中上方端部となる一端が接続ケーブルＦＣと電気的に接続される接続部３１を形成し、下方端である他端が基板のパターンと電気的に接続されるコンタクト部３２を形成し、ハウジング２はターミナル３の接続部３１を上面２５側内に位置させ、コンタクト部３２を下面２６から外方へ露出させる。
尚、この実施例では、コネクタ１は基板上にターミナル３のコンタクト部３２を押圧させ、コンタクト部３２のばね力によって基板とターミナル３との電気的な接続を行うように構成するが、コネクタ１はコンタクト部３２による基板との接続以外にも用いることができ、例えばターミナル３のコンタクト部３２に代えて、半田付け可能な半田付け部や基板に実装されたソケット部へ挿入して電気的に接続可能なピン状の接点部等からなる導通部を設けることで、他の電子部品や他の部材或は装置と電気的に接続させることも可能である。この場合には、基板に実装する以外にも利用可能であり、コネクタ１は基板上に押圧接続する以外に、該導通部によって基板に半田付け実装したり、基板以外の装置や部品と接続させてもよく、ターミナルによって他の部材や装置等と電気的に接続して使用するものであればどのように構成してもよい。
【００２８】
この実施例ではハウジング２にターミナル３を４つ並設した例であるが、３つ以下のターミナル３或は５つ以上のターミナル３を並設して設けても実施可能であり、設計された回路に見合う所望数のターミナル３をハウジング２に設ければよい。更にハウジング２の外形形状も、この実施の形態では、係止片２３によって係止突部２４と係止する図示しないソケット状に設けた係止部と係止させるよう構成するが、他の手法によりハウジング２を固定するようにしても良く、やはり使用される回路等により適宜変更可能である。
【００２９】
ターミナル３は、図２各図に表すように、導電性金属板を型抜折曲成型して形成され、上端である接続部３１には、スリット３３が３箇所上方に開口されて形成された接続箇所３４を設ける。スリット３３には、接続ケーブルＦＣが圧入され、スリット３３が接続ケーブルＦＣの外皮を破り芯線と接続箇所３４とが接触して電気的に接続される。この実施の形態では、接続箇所３４は３箇所としたが、配置する接続ケーブルＦＣの本数等により適宜設計変更できる。ターミナル３の中間部は、特にその形状に制約はなく、内包されるハウジング２の形状によって適宜設定すれば足りる。
【００３０】
図２（ａ）に表すターミナル３の下部は、接続箇所３４に接続された接続ケーブルＦＣと基板側とを電気的に接続させるためのコンタクト部３２を形成する。コンタクト部３２は、図中下方へ突出した三角形状に形成され、コンタクト部３２が押圧されて接触され白抜き矢示方向へ移動されることで、自由端を成す先端部３６が基端部を中心に付勢力を持って揺動することで、付勢力による電気的な接続を形成可能なコンタクト部３２の接触圧を得るように構成する。
【００３１】
上述のように構成されるターミナル３が夫々第１ターミナル３ａ乃至第４ターミナル３ｄとしてハウジング２内に設置固定される。
即ち、図１各図に表すように、第１ターミナル３ａ乃至第４ターミナル３ｄは、夫々並設され、特に第１ターミナル３ａ乃至第３ターミナル３ｃは、図１（ａ）及び（ｄ）に表すように、接続部３１及びコンタクト部３２を一列に揃えて固定される。又、第４ターミナル３ｄは、第１ターミナル３ａ乃至第３ターミナル３ｃとは接続部３１のスリット３３の一幅分ずらせて固定される。このように、第４ターミナル３ｄを第１ターミナル３ａ乃至第３ターミナル３ｃとスリット３３の一幅分ずらして固定することで、図１（ｄ）及び図１（ｆ）に現れるように第４ターミナル３ｄの端に位置している第１スリット３３ａが第１ターミナル３ａ乃至第３ターミナル３ｃの接続箇所３４からスリット３３一幅分外れて位置することとなる。従って、第４ターミナル３ｄをずらして配置することで、ケーブル載置溝２８を接続ケーブルＦＣ四本分設けることが可能となる。勿論この場合には、第４ターミナル３ｄでは第１スリット３３ａが接続ケーブルＦＣと電気的に接続されるのに用いられる。
【００３２】
又、ハウジング２の上面２５に設けたケーブル載置溝２８には、図１（ｄ）（ｇ）（ｈ）に表すように、接続凹部２９を穿設する。接続凹部２９は、ケーブル載置溝２８に載置された各接続ケーブルＦＣを接続させる所望のターミナル３位置に穿設することで、該穿設された接続凹部２９に位置するターミナル３の接続箇所３４であるスリット３３が接続ケーブルＦＣをそのスリット３３内に圧入可能に露出されることとなる。即ち、この実施例では、図１（ｇ）に表す第１ターミナル３ａは、ケーブル載置溝２８ａに載置される接続ケーブルＦＣと接続可能となり、図１（ｈ）に表す第４ターミナル３ｄは、ケーブル載置溝２８ｄに載置される接続ケーブルＦＣと接続可能となる。勿論、所望のケーブル載置溝２８箇所を適宜選択して接続凹部２９を穿設することで、夫々のターミナル３と接続させる接続ケーブルＦＣを変更することが可能なのは言うまでもない。
【００３３】
ハウジングカバー４は、図３に表すように、カバー本体４１と脚部４４とからなる。カバー本体４１は、ハウジング２の上面２５を被覆可能なハウジング２の上面２５と略同大の平板状からなる。カバー本体４１の裏面４２には、ハウジングカバー４をハウジング２の上面２５に被覆した際に係止凹部２９と対向する位置に圧接突部４３を突設する。そして、圧接突部４３には、図３（ａ）に表すように、中央にスリット４３ａを設ける。スリット４３ａには、ハウジングカバー４をハウジング２に取り付け時にターミナル３の接続箇所３４が挿嵌される。従って、圧接突部４３は、この実施例では図３（ｂ）に表すように斜め方向に設けるが、ハウジング２に設けられる接続凹部２９のパターンに合わせて設ければよい。更に、ハウジングカバー４の裏面４２には、ハウジングカバー４をハウジング２上面２５に被覆時、ハウジング２のケーブル載置溝２８と対向する位置に、ケーブル載置溝２８同様のケーブル溝４２ａを設ける。ハウジングカバー４の脚部４４は、ハウジングカバー４の裏面４２の四方から突設する。そして、脚部４４の先端側内面には、係止凹部４５を設ける。係止凹部４５は、ハウジングカバー４をハウジング２に被覆させた際に、ハウジング２の２７ｂと係止可能な対向位置に穿設する。また、圧接突起４３の中央に設けるスリット４３ａは、裏面４２からカバー本体４１表面にかけて穿設され、カバー本体４１を貫通して設けてある。
【００３４】
従って、このように形成するハウジングカバー４は、ハウジングカバー４をハウジング２へ被覆させた際には、脚部４４がカバー係止溝２７ａに沿って挿入され、カバー本体４１が上面２５に当接すると、このとき係止突起２７ｂと対向位置にある係止凹部４５が係止突起２７ｂと係止し、ハウジングカバー４はハウジング２に嵌合される。ハウジングカバー４がハウジング２に嵌合した状態では、ケーブル載置溝２８とケーブル溝４２ａとが対向してハウジングカバー４のケーブル載置溝２８に載置される接続ケーブルＦＣを支持する。又、圧接突部４３は、スリット４３ａにターミナル３の設けた接続箇所３４が挿嵌されるので、接続箇所３４の両側に位置する接続ケーブルＦＣが圧接突部４３に押圧され、スリット３３に接続ケーブルＦＣをその外皮を切断し芯線が圧入される。そして、接続ケーブルＦＣをターミナル３に圧入させてハウジングカバー４をハウジング２へ装着した際には、スリット４３ａがカバー本体４１を貫通して設けてあるので、接続ケーブルＦＣがターミナル３の接続箇所３４に確実に装着されているかどうかをハウジングカバー４装着後に目視によって確認可能である。
【００３５】
又、ハウジングカバー４には、接続させたい接続ケーブルＦＣとターミナル３とが交差する位置に圧接突部４３を設け、ハウジングカバー４をハウジングへ嵌合することでケーブル載置面２８に載置された接続ケーブルＦＣを圧接突部４３が押圧し接続ケーブルＦＣを、その外皮を破断して導線である芯線のみをターミナル３のスリット３３内へ圧入することで所望の接続ケーブルＦＣとターミナル３とを電気的に接続した例であるが、図４に表すように、ハウジングカバー４は、圧接突部４３を設けず接続ケーブルＦＣの外側曲率に湾曲させたケーブル溝４２ａのみを設けたカバー本体４１と、カバー本体４１のケーブル溝４２ａに挿入可能であり、且つ、カバー本体４１をハウジング２に装着時には圧接突部４３同様にカバー本体４１から突出した状態となるようなスペーサ４６をカバー本体４１とは別体として用意してもよい。この場合には、スペーサ４６は所望の接続ケーブルＦＣとターミナル３とが交差する位置であり、且つ、接続ケーブルＦＣとカバー本体４１との間に位置するようにカバー本体４１のケーブル溝４２ａに配置しておく。
【００３６】
又、図４に表すカバー本体４１にはケーブル溝４２ａを設け、又スペーサ４６もその一方面をケーブル溝４２ａに挿入可能な形状に形成したが、カバー本体４１の裏面４２にはスペーサ４６の取付け位置となるであろう箇所、即ち各接続ケーブルＦＣと各ターミナル３との交点位置と対向する位置に係止孔を穿設しておき、スペーサ４６には該係止孔に係止可能な突起を突設し、スペーサ４６を所望位置の係止孔に係止させるように構成してもよい。更には、カバー本体４１の裏面４２はフラットにしておき、スペーサ４６のカバー本体４１側面もフラットにしておき、スペーサ４６はカバー本体４１をハウジング２へ係止する前に接続ケーブルＦＣ上に配置しておき、スペーサ４６配置後にカバー本体４１をハウジング２と係止させることで接続ケーブルＦＣとターミナル３とを接続させるようにしても良い。
【００３７】
上記のような各構成からなるコネクタ１は、例えば、複数のケーブルが平面状に配置されたフラットケーブルＦＣ等と基板をはじめとする他の電機部品や装置等の部材と接続する際に用いると、フラットケーブルＦＣを折曲げたり各ケーブルの位置を入替えたりすることなく所望位置のコンタクト部３２に電気信号等を取出せるので、フラットケーブルＦＣの断線等接続ケーブルＦＣへ負担をかけずに済む。又、図５に表すように、長い配設が要求されるフラットケーブル等の接続ケーブルＦＣの複数箇所からでも接続ケーブルＦＣを切断して信号を取出さずに、接続ケーブルＦＣの中間位置にコネクタ１を取付けることができる。
更に、例示はしないが、ターミナル３を、ターミナル３のコンタクト部３２を接続部３１同様に構成すると共に接続部３１とコンタクト部３２との間で９０度等角度をもたせるようにして折曲して設けることで、接続ケーブルＦＣ相互を９０度等角度をもたせて接続させることもできる。
【００３８】
尚、この実施例では、ターミナル３の接続箇所３４はスリット３３を設け、芯線を圧入するよう構成したが、接続ケーブルＦＣの接続凹部２９位置の外皮を予め剥いておき、ハウジングカバー４の圧接突部４３が露出された接続ケーブルＦＣの芯線を接続箇所に押圧して圧着させるように構成してもよい。この場合には、圧接突部４３は、単に突出させるのではなく、圧接突部４３をばね力のような外方への付勢力を発揮可能に構成し、ハウジングカバー４をハウジング２に嵌合させた際に接続ケーブルＦＣと接続箇所３４との良好な電気的接続が得られるようにすることがより望ましい。
【００３９】
更に又、この実施例では、ハウジング２の上面２５は、各ターミナル３の接続箇所３４がハウジング２の上面２５内部に隠蔽させて、接続箇所３４と接続ケーブルＦＣとの誤接続を防止するように構成したが、接続ケーブルＦＣの外皮により十分に絶縁が保てる場合には、接続箇所を接続ケーブルＦＣと当接することで電気的な接続が保てる平面状に設け、且つ接続凹部２９を両側面２７、２７に亙って設け、全ての接続箇所３４は隠蔽せずにケーブル載置溝２８から稍突出するように構成する。このように構成することで、ハウジングカバー４係止凹部４５が接続ケーブルＦＣの予め外皮を剥かれた箇所を押圧し、接続箇所３４に圧着させて電気的な接続を行う。
【産業上の利用可能性】
【００４０】
上記のように構成する本発明のコンタクトは、基板上に実装する全てのコンタクトとして利用可能である。
【図面の簡単な説明】
【００４１】
【図１】（ａ）この発明におけるコネクタの正面説明図、（ｂ）同底面説明図、（ｃ）同左側面説明図、（ｄ）同平面説明図、（ｅ）Ａ−Ａ線断面説明図、（ｆ）Ｂ−Ｂ線断面説明図、（ｇ）Ｃ−Ｃ線断面説明図、（ｈ）Ｄ−Ｄ線断面説明図
【図２】（ａ）この発明におけるターミナルの正面説明図、（ｂ）同右側面説明図、（ｃ）同平面説明図、（ｄ）同底面説明図、（ｅ）Ｅ−Ｅ線断面説明図
【図３】（ａ）この発明におけるハウジングカバーの正面説明図、（ｂ）同底面説明図、（ｃ）同左側面説明図、（ｄ）同平面説明図、（ｅ）Ｆ−Ｆ線断面説明図
【図４】ハウジングカバーの他の例を表す断面説明図
【図５】ケーブルとの接続例を表す説明図
【図６】従来例を表す説明図
【図７】従来の接続を表す平面図
【００４２】
ＦＣ  接続ケーブル
１    コネクタ
２    ハウジング
２１  正面
２２  背面
２３  係止片
２４  係止突部
２５  上面
２６  下面
２７  側面
２７ａ  カバー係止溝
２７ｂ  係止突起
２８  ケーブル載置溝
２９  接続凹部
３    ターミナル
３ａ  第１ターミナル
３ｂ  第２ターミナル
３ｃ  第３ターミナル
３ｄ  第４ターミナル
３１  接続部
３２  コンタクト部
３３  スリット
３３ａ  第４ターミナルの第１スリット
３４  接続箇所
３５  中間部
３６  先端部
４    ハウジングカバー
４１  カバー本体
４２  裏面
４２ａ  ケーブル溝
４３  圧接突部
４３ａ  スリット
４４  脚部
４５  係止凹部
４６  スペーサ
【図１】
2005353283.tif 000003
【図２】
2005353283.tif 000004
【図３】
2005353283.tif 000005
【図４】
2005353283.tif 000006
【図５】
2005353283.tif 000007
【図６】
2005353283.tif 000008
【図７】
2005353283.tif 000009